(57)【要約】      （修正有）【課題】イチゴの苗を入れる苗入筒に直接イチゴを植え付けるようにしたイチゴ育苗用連結ポットを提供する。【解決手段】複数の四角形状の育苗用ポット１を縦横に一体的に連結した合成樹脂製である。前記四角形状の内周縁からイチゴの苗を入れる有底の苗入筒２の口縁２ａに向って順次低くなるように傾斜させる。各育苗用ポット１の連接部１ａには前記苗入筒２の口縁２ａに達する凹溝３を形成する。育苗用ポット１の連接部１ａに、散水パイプＣ載置用の溝４を形成する。有底の苗入筒２の口縁２ａに向って順次低くなる傾斜面１ｂを伝って、さらに、各育苗用ポット１の連接部１ａに形成されている凹溝３から各育苗用ポット１の苗入筒２に一様かつ均等に水が流れ込む。【選択図】図１
0003143823.tif 000002
【実用新案登録請求の範囲】
【請求項１】
複数の四角形状の育苗用ポットを縦横に一体的に連結したものであって、前記四角形状の内周縁からイチゴの苗を入れる有底の苗入筒の口縁に向って順次低くなるように傾斜させるとともに、各育苗用ポットの連接部には前記苗入筒の口縁に達する凹溝を形成したことを特徴とするイチゴ育苗用連結ポット。
【請求項２】
育苗用ポットの連接部に、散水パイプ載置用の溝を形成したことを特徴とする請求項１記載のイチゴ育苗用連結ポット。
【請求項３】
散水パイプ載置用の溝の左右両側に、散水パイプ押え用の金具を取り付けるための孔を形成したことを特徴とする請求項２記載のイチゴ育苗用連結ポット。
【考案の詳細な説明】
【技術分野】
【０００１】
本考案は、イチゴの苗を育成するための個々のポットを縦横に一体的に連結した合成樹脂製の連結ポットに関する。
【背景技術】
【０００２】
品質の良いイチゴを収穫するためには、良い苗を育てなければならない。ところが、イチゴの苗は栽培が非常に難しく、しばしば病気にかかりやすい。この育てにくい苗を育てるに当って、従来は縦横方向に多数の孔を有する栽培用トレーを用い、イチゴの苗を植え付けた薄い合成樹脂からなる育苗用ポットを前記各孔にそれぞれ収納していた（例えば、特許文献１参照）。
【０００３】
【特許文献１】特開平９−２９４４７８号公報
【考案の開示】
【考案が解決しようとする課題】
【０００４】
ところが、イチゴの苗を植え付ける薄い育苗用ポットはいずれ捨てる運命にあるので、出来れば使わないようにするのが望ましい。
本考案は、イチゴの苗を植え付ける薄い育苗用ポットを節約するために、従来の場合のようにイチゴの苗を植え付ける薄い育苗用ポットを用いないで、イチゴの苗を入れる苗入筒に直接イチゴを植え付け得るようにしたものである。
【０００５】
そして、イチゴの育苗を良好ならしめるために連結ポットに種々の工夫を凝らすことによって、イチゴの苗を直接植え付ける苗入筒に一様かつ均等に水が流れ込むようにするとともに、ポットに撒かれた水でランナーや葉の裏に泥や水滴が付かないようにしたものである。
【課題を解決するための手段】
【０００６】
本考案は、複数の四角形状の育苗用ポットを縦横に一体的に連結したポットであって、前記四角形状の内周縁からイチゴの苗を入れる有底の苗入筒の口縁に向って順次低くなるように傾斜させるとともに、各育苗用ポットの連接部には前記苗入筒の口縁に達する凹溝を形成してある。
この場合においては、有底の苗入筒の口縁に向って順次低くなる傾斜面を伝って、さらに、各育苗用ポットの連接部に形成されている凹溝から各育苗用ポットの苗入筒に一様かつ均等に水が流れ込む。したがって、各苗入筒に直接植え付けてあるイチゴの苗の育成に適しており、苗入筒内に流れ込む水で苗入筒内の培土が掘れることも無いので、苗入筒に植え付けてあるイチゴの苗に影響を及ぼすことが無く、良い苗を育てることができる。
【０００７】
育苗用ポットの連接部に、散水パイプ載置用の溝を形成しておくと良い。このようにした場合には、この溝に散水パイプを載置することができるので、各苗入筒に直接植え付けてあるイチゴの苗に水を撒くのに適しており、ランナーや葉の裏に泥や水滴が付くことを防止できる。したがって、黒斑病などの病気に掛かる確率はほとんど無く、より一層良い苗を育てることができる。
【０００８】
散水パイプ載置用の溝の左右両側に、散水パイプ押え用の金具を取り付けるための孔を形成しておくと良い。このようにした場合には、前記孔に散水パイプ押え用の金具の脚部分を差し込むことにより、育苗用ポットの連接部に形成されている溝に載置した散水パイプを安定して固定できるので、各苗入筒に直接植え付けてあるイチゴの苗に水を撒くのに最適である。
【考案の効果】
【０００９】
請求項１記載の考案によれば、各育苗用ポットの苗入筒に一様かつ均等に水が流れ込むので、各苗入筒に直接植え付けてあるイチゴの苗の育成に適しており、苗入筒内に流れ込む水で苗入筒内の培土が掘れることも無いので、苗入筒に植え付けてあるイチゴの苗に影響を及ぼすことが無く、良い苗を育てることができる。
【００１０】
請求項２記載の考案によれば、育苗用ポットの連接部に形成した溝に散水パイプを載置することができるので、各苗入筒に直接植え付けてあるイチゴの苗に水を撒くのに適しており、ランナーや葉の裏に泥や水滴が付くことを防止できる。したがって、黒斑病などの病気に掛かる確率はほとんど無く、より一層良い苗を育てることができる。
【００１１】
請求項３記載の考案によれば、散水パイプ載置用の溝の左右両側に形成されている孔に散水パイプ押え用の金具の脚部分を差し込むことにより、育苗用ポットの連接部に形成されている溝に載置した散水パイプを安定して固定できるので、各苗入筒に直接植え付けてあるイチゴの苗に水を撒くのに最適である。
【考案を実施するための最良の形態】
【００１２】
本考案を実施するための最良の形態について、図面を参照しながら詳細に説明する。
ここに例示するイチゴ育苗用連結ポットＰは、図１、図２に示すように、複数の四角形状の育苗用ポット１，１を縦横に一体的に連結した合成樹脂製のものである。そして、図１および図３に示すように、前記四角形状の内周縁からイチゴの苗を入れる有底の苗入筒２の口縁２ａに向って順次低くなるように傾斜させるとともに、各育苗用ポット１，１の連接部１ａ，１ａには前記苗入筒２の口縁２ａに達する凹溝３を形成してある。
【００１３】
この場合においては、有底の苗入筒２の口縁２ａに向って順次低くなる傾斜面１ｂを伝って、さらに、各育苗用ポット１，１の連接部１ａに形成されている凹溝３，３から各育苗用ポット１，１の苗入筒２，２に一様かつ均等に水が流れ込む。したがって、図４に示すように、各苗入筒２，２にイチゴの苗Ａを直接植え付けた場合において、イチゴの苗Ａの育成に適しており、苗入筒２内に流れ込む水で苗入筒２内の培土Ｂが掘れることも無いので、苗入筒２に植え付けてあるイチゴの苗Ａに影響を及ぼすことが無く、良い苗を育てることができる。
【００１４】
ここに示すイチゴ育苗用連結ポットＰにおいては、育苗用ポット１，１の連接部１ａ，１ａに、散水パイプＣ載置用の溝４が形成されている。この溝４を育苗用ポット１，１の連接部１ａ，１ａに形成してある場合には、図４に示すように、この溝４に散水パイプＣを載置することができるので、各苗入筒２，２に直接植え付けてあるイチゴの苗Ａに水を撒くのに適しており、ランナーや葉の裏に泥や水滴が付くことを防止できる。したがって、黒斑病などの病気に掛かる確率はほとんど無く、より一層良い苗を育てることができる。
【００１５】
図１、図２に示すように、散水パイプＣ載置用の溝４の左右両側に、散水パイプＣ押え用の金具Ｄを取り付けるための孔５，５を形成しておくと良い。この孔５，５が散水パイプＣ載置用の溝４の左右両側に形成されている場合には、図４に示すように、前記孔５，５に散水パイプＣ押え用の金具Ｄの脚ｄ，ｄ部分を差し込むことにより、育苗用ポット１，１の連接部１ａに形成されている溝４に載置した散水パイプＣを安定して固定できるので、各苗入筒２，２に直接植え付けてあるイチゴの苗Ａに水を撒くのに最適である。
【００１６】
ここに例示するイチゴ育苗用連結ポットＰにおいては、図２、図３に示すように、各苗入筒２，２の側壁の底に近いところから底壁に跨る部分に多数の孔６，６が放射状に形成されている。また、各苗入筒２，２の底壁の中心には、図２〜図４に示すように、真円形の孔７，７がそれぞれ形成されている。さらに、図１、図３および図４に示すように、各苗入筒２，２の底壁から下方に向って、複数の脚８，８が一定の間隔を置いて突出させてある。
【００１７】
放射状に形成されている多数の孔６，６および真円形の孔７，７は、排水ないし蒸発および通気用の孔である。苗入筒２内の培土Ｂに含まれている水分が多い場合には、これらの孔６，６および７，７から排水ないし蒸発させることができる。また、苗入筒２内の培土Ｂに適量の空気を付与することもできる。したがって、イチゴの苗Ａの育成に最も適する水分量と空気とを絶えず苗入筒２内の培土Ｂに付与することができ、イチゴの苗Ａの育成を良好ならしめることができる。
【００１８】
さらに、各苗入筒２，２の底壁から下方に向って、複数の脚８，８が一定の間隔を置いて突出させてあるから、各脚８，８間が一種の切欠窓のような働きをする。したがって、イチゴの苗Ａの育成に最も適する水分量と空気とを絶えず苗入筒２内の培土Ｂに付与することができ、イチゴの苗Ａの育成をより一層良好ならしめることができる。
【００１９】
なお、イチゴ育苗用連結ポットＰは、図４に示すように、通常育苗床Ｅ上に載置して使用することができる。複数個のイチゴ育苗用連結ポットＰ，Ｐを連ねて育苗床Ｅ上に載置し、長い散水パイプＣ，Ｃを長く連なる溝４，４に載置すれば、１つないし複数の給水口から連なっている各イチゴ育苗用連結ポットＰ，Ｐ全てに水を供給することができるので、給水作業に極めて便利である。
【図面の簡単な説明】
【００２０】
【図１】本考案によるイチゴ育苗用連結ポットの一例を示す斜視図で、散水パイプ押え用の金具とともに示す。
【図２】図１に示すイチゴ育苗用連結ポットの平面図である。
【図３】図２の中央縦断面図である。
【図４】図１に示すイチゴ育苗用連結ポットの使用状態の一例を示す断面図である。
【符号の説明】
【００２１】
１…育苗用ポット、１ａ…連接部、１ｂ…傾斜面、２…苗入筒、２ａ…口縁、３…凹溝、４…溝、５…孔、６…孔、７…孔、８…脚、Ｐ…イチゴ育苗用連結ポット、Ａ…イチゴの苗、Ｂ…培土、Ｃ…散水パイプ、Ｄ…散水パイプ押え用の金具、ｄ…金具の脚、Ｅ…育苗床。
【図１】
0003143823.tif 000003
【図２】
0003143823.tif 000004
【図３】
0003143823.tif 000005
【図４】
0003143823.tif 000006